(57)【要約】【課題】インクジェットヘッドのノズルのピッチを常に所望の値に維持することができ、インク滴の着弾位置性能の良好なインクジェット式記録装置およびそのインクジェット式記録装置に用いるインクジェットヘッドを提供すること。【解決手段】複数のノズルとインクへの圧力印加手段とを備えたインクジェットヘッドと、インクジェットヘッドの温度を変更する温度変更手段とを備えたものであり、インクジェットヘッドのノズルのピッチが所望の値となるよう、温度変更手段によりインクジェットヘッドの温度を変更する。【選択図】図１
2006247841.tif 000002
【特許請求の範囲】
【請求項１】
少なくとも複数のノズルとインクへの圧力印加手段とを備えたインクジェットヘッドと、
前記インクジェットヘッドの温度を変更する温度変更手段とを備えたものであり、
前記インクジェットヘッドのノズルとノズルとの間隔が所望の値となるよう、前記温度変更手段により前記インクジェットヘッドの温度を変更することを特徴とするインクジェット式記録装置。
【請求項２】
インクジェットヘッドのノズルとノズルとの間隔を検知するノズルピッチ検知手段を備えたことを特徴とする請求項１に記載のインクジェット式記録装置。
【請求項３】
温度変更手段によりインクジェットヘッドのノズルの並び方向に温度分布を持たせることを特徴とする請求項１〜２のいずれかに記載のインクジェット式記録装置。
【請求項４】
インクジェットヘッドの温度にしたがって、圧力印加手段によるインクに印加する圧力を変更することを特徴とする請求項１〜３のいずれかに記載のインクジェット式記録装置。
【請求項５】
温度変更手段は、インクジェットヘッドに取り付けた、通電により発熱するヒータであることを特徴とする請求項１〜４のいずれかに記載のインクジェット式記録装置。
【請求項６】
温度変更手段であるヒータには、インクジェットヘッドに対して発熱分布を持つことが可能なものであることを特徴とする請求項５に記載のインクジェット式記録装置。
【請求項７】
請求項１〜６のいずれかに記載のインクジェット式記録装置に用いるインクジェットヘッドであって、
前記インクジェットヘッドの使用時の温度がＴ１、その温度での前記インクジェットヘッドのノズルとノズルとの間隔がＰ１であり、
かつ、前記インクジェットヘッドの温度をＴ２に変更した時、その温度での前記インクジェットヘッドのノズルとノズルとの間隔がＰ２に変化するものであり、
前記インクジェットヘッドは、温度がＴ２の時、そのノズルとノズルとの間隔はＰ２であることを特徴とするインクジェットヘッド。
【請求項８】
少なくとも複数のノズルとインクへの圧力印加手段とを備え、使用時の温度Ｔ１においてノズルピッチが所望ピッチＰ１となるように、インクジェットヘッドの温度とノズルピッチとの関係に基づき、使用温度Ｔ１よりも低い温度Ｔ２においてノズルピッチが所望ピッチＰ１よりも小さいピッチＰ２であるように製作されたインクジェットヘッドと、
前記インクジェットヘッドの温度を変更する温度変更手段と、
を有し、
前記インクジェットヘッドを使用して記録するときに、前記温度変更手段により、インクジェットヘッドを加熱して、その温度を使用温度Ｔ１に設定することにより、インクジェットヘッドを膨張させてノズルピッチを変更させ、所望ピッチＰ１とし、この状態でインク記録を行うように構成されたインクジェット式記録装置。
【請求項９】
インクジェットヘッドを使用してインク記録を行うときに、インクジェットヘッドを加熱して、インクジェットヘッドの温度を使用温度に設定することにより、インクジェットヘッドを膨張させ、インクジェットヘッドのノズルピッチを使用温度に対応する所望ピッチとし、この状態で、インク記録を行うことを特徴とするインクジェット式記録装置によるインク記録方法。
【発明の詳細な説明】
【技術分野】
【０００１】
本発明は、液体を吐出するインクジェット式記録装置およびそれに用いるインクジェットヘッドに関するものである。
【背景技術】
【０００２】
近年、インクジェット技術を応用し、様々な液体を吐出させることにより、基板の電極形成、各種電気部品の直接形成、ディスプレイ等に用いる発光体やフィルターの形成、さらにはマイクロレンズの形成など、種々の検討が盛んに実施されている。それらのデバイスを作成するにあたり、インクジェット式記録装置には、種々の性能が求められている。その要求の一つに着弾位置性能というものがある。
【０００３】
この着弾位置性能を向上するため、例えば特許文献１に示すインクジェット式記録装置が提案されている。本装置では、インクジェットヘッドに通電する波形を工夫することにより、インク滴の直進性を向上し、かつサテライトの発生を低減し、これらのことにより、着弾位置性能の向上を図っている。また、この方式に加え、ノズルの加工精度向上（ノズルの形状、ノズルとノズルとの間隔：以後ノズルピッチと記載する）、ノズルと圧力室のアライメント精度向上、ノズル板への撥水膜形成等により、着弾位置性能の良好なインクジェットヘッドを提供することができている。
【特許文献１】特開平９−２２６１０６号公報
【発明の開示】
【発明が解決しようとする課題】
【０００４】
各デバイスの高密度化に伴い、より高い着弾位置性能が求められており、前記従来のインクジェットヘッドにおいても、さらに着弾位置性能の高いものが要求されてきている。しかしながら、前記従来の構成では、着弾位置性能の向上がかなり図れているが、そのインクジェットヘッドの温度が変化した場合について何等考慮しておらず、インクジェットヘッドの温度が変化した場合、インクジェットヘッドの熱膨張収縮により、ノズルピッチが変化し、所望の着弾位置が得られなくなってしまう。インクジェット式記録装置を使用する環境の温度を一定に保ち、インクジェットヘッドの温度が変化しないようにすることは可能ではあるが、その場合、設備が大がかりとなり好ましい方法ではない。
【０００５】
さらには、インクジェットヘッドを積極的に所定の温度に加熱保温し、インクジェットヘッド内のインクの温度を上昇させ、インクの粘度を低粘度化することにより、高粘度のインクを吐出可能にする方法も提案されている。この場合は特に、インクジェットヘッドの温度変化が大きいため、ノズルピッチの変化も大きく、その変化を考慮する必要がある。
【０００６】
本発明は、前記従来の課題を解決するもので、インクジェットヘッドのノズルピッチを常に所望の値に維持することができ、インク滴の着弾位置性能の良好なインクジェット式記録装置およびそのインクジェット式記録装置に用いるインクジェットヘッドを提供することを目的とする。
【課題を解決するための手段】
【０００７】
前記従来の課題を解決するために、本発明のインクジェット式記録装置は、少なくとも複数のノズルとインクへの圧力印加手段とを備えたインクジェットヘッドと、インクジェットヘッドの温度を変更する温度変更手段とを備え、インクジェットヘッドのノズルピッチが所望の値となるよう、温度変更手段によりインクジェットヘッドの温度を変更するものである。
【０００８】
本構成によって、インクジェットヘッドのノズルピッチが所望の値に出来ていない場合、環境温度や、装置温度が当初設定温度よりも変化し、ノズルピッチが所望の値からずれた場合には、温度変更手段によりインクジェットヘッドの温度を変更し、ノズルピッチを所望の値に補正することが可能であり、常に所望のノズルピッチを得ることができ、インク滴の着弾位置性能の良好なインクジェット式記録装置を提供することができる。
【０００９】
また、前記インクジェット式記録装置において、インクジェットヘッドのノズルピッチを検知するノズルピッチ検知手段を備えたものである。
【００１０】
本構成では、インクジェットヘッドのノズルピッチを検知し、その値に基づいてインクジェットヘッドの保温温度を設定し、その温度に温度変更後保温することにより、所望のノズルピッチを得るものであり、本構成により、インクジェットヘッドのノズルピッチがヘッド毎にばらついている場合でも、確実に所望のノズルピッチを得ることができるインクジェット式記録装置を提供することができる。
【００１１】
また、前記インクジェット式記録装置において、温度変更手段によりインクジェットヘッドのノズルの並び方向に温度分布を持たせたものである。
【００１２】
本構成によって、インクジェットヘッドのノズルピッチにそのインクジェットヘッド内で分布がある場合や、逆に、インクジェットヘッド内でノズルピッチに分布を持たせたい場合にも、それに対応させた温度分布を持たせることにより、所望のノズルピッチが得られるインクジェット式記録装置を提供することができる。
【００１３】
また、前記インクジェット式記録装置において、インクジェットヘッドの温度にしたがって、圧力印加手段によるインクに印加する圧力を変更するものである。
【００１４】
本構成では、温度変更手段によりインクジェットヘッドの温度を変更すると、インクジェットヘッド内のインクは温度変化により粘度の変化を生じ、圧力印加手段により、インクジェットヘッド内のインクに温度変更前と同じ圧力を印加した場合、インクの吐出量やインクの吐出速度が変化してしまう。しかしながら、本構成によって、温度変更後には、圧力印加手段による印加圧力を変更することにより、インクの吐出量や吐出速度が変わらないインクジェット式記録装置を提供することができる。
【００１５】
また、前記インクジェット式記録装置において、温度変更手段は、インクジェットヘッドに取り付けた、通電により発熱するヒータとしたものである。
【００１６】
本構成によって、ヒータという非常に簡単な手段により、かつ、加熱したいインクジェットヘッドを直接加熱することができ、それにより、安価で、温度変更が素早く、所望のノズルピッチが得られるインクジェット式記録装置を提供することができる。
【００１７】
また、前記インクジェット式記録装置において、温度変更手段であるヒータは、インクジェットヘッドに対して発熱分布を持つことが可能なものとしている。
【００１８】
本構成によって、インクジェットヘッドを加熱保温する時、インクジェットヘッドに熱容量の分布がある場合や、インクジェットの放熱状態に差がある場合においても、をれに対応した発熱分布をヒータに持たせることにより、インクジェットヘッドの温度を同一温度に加熱保温することが可能となり、インクジェットヘッド全域に渡り、所望のノズルピッチを得ることができるインクジェット式記録装置を提供することができる。さらに、逆に、ヒータに発熱分布を持たせ、インクジェットヘッドに温度分布を持たせ、ノズルピッチに所望の分布を備えたインクジェット式記録装置を提供することもできる。
【００１９】
また、本発明のインクジェットヘッドは、そのインクジェットヘッドの使用時の温度がＴ１、その温度でのインクジェットヘッドの所望のノズルピッチがＰ１であり、かつ、インクジェットヘッドの温度をＴ２に変更した時、その温度でのインクジェットヘッドのノズルピッチがＰ２に変化するものであり、インクジェットヘッドは、温度がＴ２の時、そのノズルピッチはＰ２としたものである。
【００２０】
本構成によって、インクジェットヘッドの熱膨張収縮を考慮し、ノズルピッチを決定し、そのノズルピッチとなるようインクジェットヘッドを製造することにより、そのインクジェットヘッドを実際に使用する温度にて所望のノズルピッチとなるインクジェットヘッドを提供することができる。
【００２１】
また、本発明のインクジェットヘッドは、少なくとも複数のノズルとインクへの圧力印加手段とを備え、使用時の温度Ｔ１においてノズルピッチが所望ピッチＰ１となるように、インクジェットヘッドの温度とノズルピッチとの関係に基づき、使用温度Ｔ１よりも低い温度Ｔ２においてノズルピッチが所望ピッチＰ１よりも小さいピッチＰ２であるように製作されたインクジェットヘッドと、前記インクジェットヘッドの温度を変更する温度変更手段と、を有し、前記インクジェットヘッドを使用して記録するときに、前記温度変更手段により、インクジェットヘッドを加熱して、その温度を使用温度Ｔ１に設定することにより、インクジェットヘッドを膨張させてノズルピッチを変更させ、所望ピッチＰ１とし、この状態でインク記録を行うように構成されたものである。
本構成によって、インクジェットヘッドの熱膨張収縮を考慮し、使用時温度Ｔ１のときに所望ピッチＰ１となるようにノズルピッチを決定し、そのノズルピッチとなるよう製造されたインクジェットヘッドを用い、インク記録を行うときに、そのインクジェットヘッドを加熱して使用温度に設定することにより、インクジェットヘッドが膨張してノズルピッチを所望のノズルピッチとすることができる。この状態でインク記録を行うので、インク滴の着弾位置性能の向上を図ることができる。
また、本発明のインクジェット式記録装置を用いたインク記録方法は、インクジェットヘッドを使用してインク記録を行うときに、インクジェットヘッドを加熱して、インクジェットヘッドの温度を使用温度に設定することにより、インクジェットヘッドが膨張し、インクジェットヘッドのノズルピッチを使用温度に対応する所望ピッチとし、この状態で、インク記録を行うものである。
本構成によって、インク記録を行うときに、そのインクジェットヘッドを加熱して使用温度に設定することにより、インクジェットヘッドが膨張してノズルピッチを所望のノズルピッチとすることができる。この状態でインク記録を行うので、インク滴の着弾位置性能の向上を図ることができる。
【発明の効果】
【００２２】
本発明のインクジェット式記録装置およびそのインクジェット式記録装置に用いるインクジェットヘッドによれば、常に所望のノズルピッチが得られ、インク滴の着弾位置性能の向上を図ることができる。
【発明を実施するための最良の形態】
【００２３】
以下本発明の実施の形態について、図面を参照しながら説明する。
【００２４】
（実施の形態１）
図１は、本発明の実施の形態１におけるインクジェット式記録装置の概略構成を示す正面図である。
【００２５】
図１において、１は複数のインク滴２を自在に吐出可能なインク吐出ユニットであり、支持プレート３により保持されている。支持プレート３は、剛性と熱伝導性の観点から、金属板を用いており、本実施の形態では、金属のなかでも熱伝導性の良好なアルミニウム板を用いている。これらインク吐出ユニット１と支持プレート３とによりインクジェットヘッド４を形成している。５は温度変更手段としてのヒータであり、通電により発熱するものであり、支持プレート３に熱を伝え易い様、面状のものを用い、支持プレート３に面で接触させている。さらに伝熱を良好とするため、ヒータ５を支持プレート３に埋め込んでも構わない。ヒータ５は、支持プレート３に取り付けられたサーミスタ６の検知する温度にしたがって、支持プレート３を加熱保温し、それにより、インク吐出ユニット１を所望の温度に加熱保温するするものである。
【００２６】
図２は、上記インク吐出ユニット１の概略構成を示す断面図である。インクを収容する複数の圧力室７が形成された壁部材８と、各圧力室７に連通する複数のノズル９が形成されたノズル板１０と、各圧力室７内のインクに圧力を付与して各ノズル９からインク滴２をそれぞれ吐出させる圧力印加手段とを有したものである。圧力印加手段は振動板１１と該振動板１１上に形成された圧電素子１２からなるものである。圧電素子１２に通電し、圧電素子１２が発生する力により振動板１１を撓ませ、圧力室７の収縮及び膨張に伴う圧力室７の圧力変化によって、ノズル９からインク滴２を吐出しかつ圧力室７にインクを充填するようになっている。ノズル９は、その出口側の穴径がφ２０μmでありであり、かつ、ノズル９とノズル９との間隔（ノズルピッチＰ）はノズル板１０の温度が５０℃の時、２５４μmの等間隔になるよう形成している。図を分かりやすくするため、インク吐出部は６カ所図示しているが、実際には１０１カ所の吐出部を備えており、両端のノズルの距離は２５．４ｍｍとなるように形成している。
【００２７】
次に、本実施の形態のインクジェット式記録装置の動作について説明する。
【００２８】
まず、サーミスタ６で検知した温度にしたがってヒータ５に通電し、インクジェットヘッド４を所望の温度に加熱保温する。図３には、インクジェットヘッド４の温度とノズルピッチとの関係を示す。インクジェットヘッド４の温度が上昇すると、熱膨張により、ノズルピッチも長くなるという関係を示したものである。インクジェットヘッド４の温度がＴ２であり、その温度でのノズルピッチがＰ２の時、インクジェットヘッド４の温度をＴ２からＴ１まで上昇させた時のノズルピッチはＰ１まで熱膨張する。本実施の形態では、支持プレート３にアルミニウムを用いており、その線膨張係数は、２３．９×１０Ｅ−６／℃である。例えば、インクジェットヘッド４の温度が基準の温度から２０℃上昇した場合、ノズルピッチは０．０４７８％だけ長くなる。ノズル９の列の両端の距離は２５．４mmであり、その距離が１２μmだけ長くなることになり、着弾位置誤差はかなり大きなものとしまう。そこで、本実施の形態では、インクジェットヘッド４の使用時の温度をＴ１、その温度での所望のノズルピッチがＰ１とした時、Ｔ１より低温時、例えばＴ２では、ノズルピッチはＰ２となるインクジェットヘッド４を製作したものである。また、使用時の温度Ｔ１はそのインクジェット式記録装置の装置内の温度や、その装置の使用環境の温度よりも高めとしたものである。つまり、インクジェットヘッド４の温度をＴ１とするために加熱手段だけ備えればよく、冷却手段は不要となる。したがって、具体的にはインクジェットヘッド４の温度を５０℃とすることにより、所望のノズルピッチ２５４μmが得られる。
【００２９】
次に、このノズルピッチが所望の値となった後、インクジェットヘッド４の圧電素子１２に通電することにより、所望のピッチでのインク滴の吐出が得られる。ここで、インクジェットヘッド４の温度が５０℃としており、その時のインクジェットヘッド４内のインクも温度が上昇し、粘度の低下が起こっているため、その粘度に適した通電波形を圧電素子１２通電し、所望の圧力を印加している。
【００３０】
この状態にて、インクジェット式記録装置の使用する環境温度を１０℃〜４０℃まで変化させながらインク滴２のピッチの測定を行った。この場合、１０℃〜４０℃に使用環境を変化させてもインクジェットヘッド４の温度を５０℃に保つことにより、常に一定の２５４μmというピッチを得ることができた。ただし、実際のピッチの測定は、両端のノズルの距離を測定した。
【００３１】
かかる構成によれば、インクジェットヘッド４の温度を変更するヒータ５を備え、インクジェットヘッド４の温度が常に一定となるように制御するものであり、環境温度や、装置温度が当初設定温度よりも変化する場合でも、インクジェットヘッド４の温度を一定に保ち、それによりノズルピッチが常に一定の値となるようにしたものであり、常に所望のノズルピッチＰを得ることができ、インク滴２の着弾位置性能の良好なインクジェット式記録装置を提供することができる。
【００３２】
また、かかる構成によれば、温度変更手段は、インクジェットヘッド４に取り付けた、通電により発熱するヒータ５を用いるものであり、ヒータ５という非常に簡単な手段により、かつ、加熱したいインクジェットヘッド４を直接加熱することができ、それにより、安価で、温度変更が素早く、所望のノズルピッチＰが得られるインクジェット式記録装置を提供することができる。
【００３３】
また、かかる構成によれば、そのインクジェットヘッド４の使用時の温度がＴ１、その温度でのインクジェットヘッド４のノズル９の所望のノズルピッチがＰ１であり、かつ、インクジェットヘッド４の温度をＴ２に変更した時、その温度でのインクジェットヘッド４のノズルピッチがＰ２に変化するものであり、インクジェットヘッド４は、温度がＴ２の時、そのノズル９のノズルピッチがＰ２としたものであり、インクジェットヘッド４の熱膨張収縮を考慮し、ノズルピッチを決定し、その決定したノズルピッチとなるようにインクジェットヘッドを製造したことにより、そのインクジェットヘッド４を実際に使用する温度にて所望のノズルピッチとなるインクジェットヘッド４を提供することができる。
【００３４】
なお、本実施の形態において、温度変更手段としてヒータ５を支持プレート３に取り付けたが、これは、支持プレート３に直接発熱体を形成したものでも構わない。
【００３５】
また、本実施の形態において、ヒータ５は支持プレート３に取り付けたが、これは、必ずしも支持プレート３に取り付ける必要はなく、インク吐出ユニット１に取り付けることも可能である。
【００３６】
また、本実施の形態において、温度変更手段には通電により発熱するヒータ５を用いたが、これは、通電により吸熱する、例えばペリチェ素子等による冷却手段を用いることも可能であり、さらには、ヒータ５と冷却手段との両方を用いる構成も可能である。
【００３７】
また、本実施の形態において、インクジェットヘッド４には一つのインク吐出ユニット１を備えたが、これは、インク吐出ユニット１を複数備えたものも好ましく用いることが出来る。
【００３８】
また、本実施の形態において、インクジェットヘッド４から吐出させる液体をインクと称したが、これは、文字や写真を記録紙上に作成させるための黒やカラーの色材を含んだ液体だけでなく、例えば、電極形成のための導電性粒子を含有した液体や、ＥＬ（エレクトロルミネッセンス）に用いる発光材料や、マイクロレンズを作成する樹脂材料等も好ましく用いることができる。
（実施の形態２）
図４は、本発明の実施の形態２におけるインクジェット式記録装置のノズルピッチの検知方法を示す概略図である。ノズルピッチ検知手段としてのカメラ１３により、ノズル９の位置を光学的に読みとり、それによりノズル９のノズルピッチを測定する方法である。カメラ１３は、カメラ移動手段１４により、ノズル９の並び方向に移動可能に支持されている。
【００３９】
まず、カメラ移動手段１４により、カメラ１３をインク吐出ユニット１に形成されたノズル９の列の一番はしのノズル９の位置にカメラ１３を移動し、次に、その隣のノズル９の位置にカメラ１３を移動し、その移動量を測定することにより、ノズルピッチを検知することができる。また、場合によっては、インク吐出ユニット１に形成されたノズル９の列の両端の間隔を測定することにより、ノズルピッチを求める方法も好ましく用いられる。
【００４０】
そして、上記方法によって得られたノズルピッチの値と、インクジェットヘッド４を使用する時の所望のノズルピッチの値と、インクジェットヘッド４の線膨張係数とを考慮し、インクジェットヘッド４の保温温度を決定し、ヒータ５に通電し、サーミスタ６の検知温度にしたがって、インクジェットヘッド４を所望の温度に加熱保温する。これにより、インクジェットヘッド４の使用時、所望のノズルピッチを得ることができる事になる。
【００４１】
さらに、インクジェットヘッドの温度を変更したとき、温度の変化により、インクの粘度も変化し、インクの吐出速度、液滴量が変化してしまう。そこで、本実施の形態では、図２の圧力室７に印加する圧力を変更することにより、所望の吐出速度、液滴量をもったインク滴が吐出ができるようにしている。具体的には、圧電素子１２に加える通電波形を変更している。
【００４２】
かかる構成によれば、インクジェットヘッド４のノズルピッチを検知し、その値に基づいてインクジェットヘッド４の保温温度を設定し、ヒータ５により該設定温度にインクジェットヘッド４を加熱保温することにより、インクジェットヘッド４に熱膨張を起こさせ、所望のノズルピッチを得るものであり、本構成により、ノズルピッチがインクジェットヘッド４ごとにばらついている場合でも、確実に所望のノズルピッチを得ることができるインクジェット式記録装置を提供することができる。
【００４３】
また、かかる構成によれば、インクジェットヘッド４の温度を変更した場合、インク吐出ユニット１の圧力室７に印加する圧力を変更することにより、常に所望の吐出速度や液滴量をもったインク滴が得られるインクジェット式記録装置を提供することができる。
【００４４】
なお、本実施の形態において、ノズルピッチを測定しながらヒータ５に通電し、所望のノズルピッチが得られた時、その温度にて保温するといいう方法も好ましく用いることができる。
【００４５】
なお、本実施の形態において、カメラ移動手段１４によりカメラ１３を移動させたが、これは、カメラ１３を固定し、インク吐出ユニット１側を移動させるものでもよい。
（実施の形態３）
図５は、本発明の実施の形態３におけるインクジェット式記録装置のノズルピッチの他の検知方法を示す概略図である。実施の形態２と異なるのは、カメラ１３により、直接、ノズル９の位置を読みとるのではなく、ノズル９からインク滴２を吐出させ、該インク滴２の着弾位置をカメラ１３で読みとり、ノズルピッチを検知することである。
図５の（ａ）では、紙、樹脂フィルムなどからなる受像体１５を用い、この受像体１５にインク滴２を吐出させ、受像体１５に着弾させ、着弾の像を形成する。そして、受像体移動ステージ１６により、図５の（ｂ）矢印の方向にインク滴２の像が形成された受像体１５をカメラ１３の直下を通過させ、着弾位置を読みとる。そして、この着弾位置からノズルピッチを読みとることができる。
【００４６】
かかる構成によっても、インクジェットヘッド４のノズルピッチを検知し、その値に基づいてインクジェットヘッド４の保温温度を設定し、ヒータ５により該設定温度にインクジェットヘッド４を加熱保温することにより、インクジェットヘッド４に熱膨張を起こさせ、所望のノズルピッチを得るものであり、本構成により、ノズルピッチがインクジェットヘッド４ごとにばらついている場合でも、確実に所望のノズルピッチを得ることができるインクジェット式記録装置を提供することができる。
（実施の形態４）
図６は、本発明の実施の形態４におけるインクジェット式記録装置の概略構成を示す正面図である。図１と異なるのは、ヒータ５を複数備えたことと、サーミスタ６を複数備えたことである。複数のヒータ５は、それぞれ個別に通電可能に構成されており、それにより、インクジェットヘッド４のノズルの並び方向に対して自在な発熱分布を持たせることが可能となる。また、サーミスタ６を複数備えたことにより、インクジェットヘッド４のノズルの並び方向の温度分布の測定も可能となる。
【００４７】
インクジェットヘッドのノズルピッチには様々な要望や、また、実際にインクジェットヘッドを製造した場合、該インクジェットヘッドのノズルピッチには様々な課題が生じる。  その要望の一つに、インクジェットヘッド４のノズルピッチをインクジェットヘッド４内で分布を持たせたいというものがある。これは、インク滴を吐出させる被記録媒体からの要望であり、例えば、中央部のノズルピッチよりも両端部のノズルピッチの方を微妙に長くさせるというものがある。この場合、両端部にあるヒータ５の発熱量を中央部にあるヒータ５の発熱量よりも多くすることにより、両端部の温度を中央部の温度よりも高くし、熱膨張を大きくするものである。これにより、両端部のノズルピッチを長くすることが可能となる。
【００４８】
また、課題の一つに、インクジェットヘッド４を製造した時、インクジェットヘッド４内にてノズルピッチに所望の値に対する分布が生じていることがある。その場合も、ヒータ５に発熱分布を与え、所望の値に対する分布を補正する様、インクジェットヘッド４に温度分布を与えることが可能である。
【００４９】
さらに、他の課題として、インクジェットヘッド４に熱容量分布や、インクジェットヘッド４の場所による放熱の差がある場合、ヒータ５により、均一な発熱を行うと、インクジェットヘッド４に温度分布が生じ、それにより、ノズルピッチの分布が生じるというものがある。この課題に対し、インクジェットヘッド４に熱容量分布などがある場合でも、ヒータ５に適切な発熱分布を持たせ、それにより、インクジェットヘッド４の温度を均一にし、均一なノズルピッチを得ることが可能となる。
【００５０】
かかる構成によれば、複数のヒータ５を用い、発熱の分布を持たせることにより、インクジェットヘッド４のノズルの並び方向に温度分布を持たせることが可能となる。これにより、インクジェットヘッド４のノズルピッチにそのインクジェットヘッド４内で分布があり、その分布をなくしたい場合や、逆にインクジェットヘッド４内でノズルピッチに分布を持たせたい場合にも、それに対応させた温度分布を持たせることにより、所望のノズルピッチを得られるインクジェット式記録装置を提供することができる。
【００５１】
また、かかる構成によれば、複数のヒータ５を用い、インクジェットヘッドに対して発熱分布を持たせることにより、インクジェットヘッド４を加熱保温する時、インクジェットヘッド４に熱容量の分布がある場合や、インクジェットヘッドの放熱状態に差がある場合においても、をれに対応した発熱分布をヒータに持たせることにより、インクジェットヘッド４の温度が一定となるように加熱保温することが可能となり、インクジェットヘッド４全域に渡り、所望のノズルピッチを得ることができるインクジェット式記録装置を提供することができる。
【００５２】
なお、本実施の形態において、発熱分布を与えるために複数のヒータ５を備えたが、これは、発熱分布を与えることができるならば、例えば、所望の発熱分布が得られる様、発熱分布をもった一つのヒータ５を用いることも可能である。この場合、自在に発熱分布を変更できないことは言うまでもない。
【００５３】
また、本実施の形態において、インクジェットヘッド４に温度分布を与えた場合には、その温度分布に対応させて、それぞれの圧電素子１２に印加する波形を変更し、それぞれの圧力室７に印加する圧力にも分布を持たせるということも好ましく用いることができる。
【産業上の利用可能性】
【００５４】
本発明にかかるインクジェットヘッドは、受動体に対する着弾位置性能が優れたものであり、そのため、本発明にかかるインクジェットヘッドは、記録紙にインクを吐出して文字や画像を記録するだけでなく、例えば、各種金属インクを吐出することによる配線パターンの形成や、カラーフィルター材料を吐出することによるカラーフィルター形成や、ＥＬ（エレクトロルミネッセンス）発光を行うための各種材料の吐出や、有機ＴＦＴ作成のための各種材料の吐出等、工業用の用途にも適用可能である。
【図面の簡単な説明】
【００５５】
【図１】本発明の実施の形態１におけるインクジェット式記録装置の概略構成を示す正面図
【図２】本発明の実施の形態１におけるインク吐出ユニットの概略構成を示す断面図
【図３】本発明の実施の形態１におけるインクジェットヘッドの温度とノズルピッチとの関係を示す図
【図４】本発明の実施の形態２におけるインクジェット式記録装置のノズルピッチの検知方法を示す概略図
【図５】本発明の実施の形態３におけるインクジェット式記録装置のノズルピッチの他の検知方法を示す概略図
【図６】本発明の実施の形態４におけるインクジェット式記録装置の概略構成を示す正面図
【符号の説明】
【００５６】
１    インク吐出ユニット
３    支持プレート（インク吐出ユニット１とでインクジェットヘッド４を構成）
４    インクジェットヘッド
５    ヒータ（温度変更手段）
９    ノズル
１１    振動板
１２    圧電素子（振動板１１とで圧力印加手段を構成）
１３    カメラ（ノズルピッチ検知手段）
【図１】
2006247841.tif 000003
【図２】
2006247841.tif 000004
【図３】
2006247841.tif 000005
【図４】
2006247841.tif 000006
【図５】
2006247841.tif 000007
【図６】
2006247841.tif 000008